(57)【要約】  本発明は、特に失禁パッドである吸収用品に関するものであり、吸収用品はある長さとある幅方向の広がりとを有しており、ある長さは幅よりも大きく、吸収用品は吸収コア材を備えており、ここで、吸収コア材は、中央部(６)と一対の長手方向に延在する側方部(７)を形成し、側方部(７)における用品(１)の曲げ剛性は、側方部(７)と対向する位置における中央部(６)の用品の曲げ剛性の３ないし２０％であり、好ましくは４ないし１５％であり、最も好ましくは４ないし１０％である。
2009519097.tif 000002
【特許請求の範囲】
【請求項１】
特に失禁パッドである吸収用品であって、
前記吸収用品(１)は、ある長さとある幅方向の広がりとを有し、前記長さは前記幅より大きく、かつ前記吸収用品(１)は吸収コア材を具備してなり、
前記吸収コア材は、中央部(６)と一対の長手方向に延在する側方部(７)とを形成し、
前記側方部(７)における前記用品(１)の曲げ剛性は、前記側方部(７)と対向する位置における前記中央部(６)の前記用品(１)の曲げ剛性の３ないし２０％、好ましくは４ないし１５％、最も好ましくは４ないし１０％であることを特徴とする吸収用品。
【請求項２】
前記側方部(７)における前記用品(１)の曲げ剛性は、０.３５ないし１.１であることを特徴とする請求項１に記載の吸収用品。
【請求項３】
前記側方部(７)と対向する位置における前記中央部(６)での前記用品(１)の曲げ剛性は、６.５ないし１０.１であることを特徴とする請求項１または請求項２に記載の吸収用品。
【請求項４】
前記側方部(７)における前記用品の厚さは、前記側方部(７)と対向する位置における前記中央部(６)の厚さより小さいことを特徴とする請求項１ないし請求項３のいずれか一項に記載の吸収用品。
【請求項５】
前記側方部(７)における前記用品(１)の厚さは、前記側方部と対向する位置における前記用品(１)の厚さの４０ないし８０％、好ましくは５０ないし７０％、最も好ましくは５５ないし６５％であることを特徴とする請求項４に記載の吸収用品。
【請求項６】
一対の折り曲げ線が、前記吸収コア材を、前記中央部(６)と前記一対の長手方向側部(７)とに区分するために設けられることを特徴とする請求項１ないし請求項５のいずれか一項に記載の吸収用品。
【請求項７】
前記折り曲げ線(５)は、前記吸収材の圧潰によって、形成されていることを特徴とする請求項６に記載の吸収用品。
【請求項８】
前記折り曲げ線(５)は、完全に、前記中央部(６)の前記吸収材から、前記側方部(７)の前記吸収材を区分することを特徴とする請求項６または請求項７に記載の吸収用品。
【請求項９】
前記折り曲げ線(５)は、部分的に、前記中央部(５)の前記吸収材から、前記側方部(７)の前記吸収材を区分することを特徴とする請求項６または請求項７に記載の吸収用品。
【請求項１０】
前記折り曲げ線(５)は、前記用品が使用されているとき、前記折り曲げ線(５)がおおむね、薄筋腱から始まり会陰部で終わる、使用者の股領域に沿って延在するように配置されるように、ある長さに沿って配置され、かつ延在しており、前記側方部(７)は、前記用品(１)の横方向から見た場合、弓形状を形成するように、前記中央部(６)から使用者へ向かって、延在可能となっていることを特徴とする請求項６ないし請求項９のいずれか一項に記載の吸収用品。
【請求項１１】
前記折り曲げ線は、約６０から１７０ｍｍ、好ましくは８０から１４０ｍｍ、最も好ましくは９０から１３０ｍｍの長さを有していることを特徴とする請求項６ないし請求項１０のいずれか一項に記載の吸収用品。
【請求項１２】
前記折り曲げ線(５)は、前記用品の全体の長さ(Ｌ)の約１／３に沿って延在していることを特徴とする請求項６ないし請求項１１のいずれか一項に記載の吸収用品。
【請求項１３】
前記吸収材の前記外側長手方向縁部は、三つの凸状の葉部(２，３，４)を形成し、
前記吸収コア材を前記中央部(６)と前記一対の長手方向側方部(７)とに区分するように、
前記一対の折り曲げ線(５)は、前記三つの葉部(２，３，４)の前記中間の一つ(３)の前記長手方向の端部同士の間に凹状に延在しており、
これによって、前記用品(１)が使用されているときに、前記折り曲げ線(５)がおおむね、薄筋腱から始まり会陰部で終わる、使用者の股領域に沿って延在するように配置されているようになっており、前記側方部(７)は、前記用品(１)の横方向から見た場合、弓形状を形成するように、前記中央部(６)から使用者の方へ向かって、延在可能となっていることを特徴とする請求項６ないし請求項１２のいずれか一項に記載の吸収用品。
【請求項１４】
前記中間葉部(３)の前記長手方向の端部同士の間の長さ(ｂ)は、約６０から２７０ｍｍ、好ましくは８０から１４０ｍｍ、最も好ましくは９０から１３０ｍｍであることを特徴とする請求項１３に記載の吸収用品。
【請求項１５】
前記中間葉部(３)は、前記用品の全体の長さ(Ｌ)の約１／３に沿って延在していることを特徴とする請求項１３または請求項１４に記載の吸収用品。
【請求項１６】
それぞれの葉部(２，３，４)は、前記用品の全体の長さ(Ｌ)の約１／３に沿って延在することを特徴とする請求項１５に記載の吸収用品。
【請求項１７】
前記中間葉部(３)の最大幅(ｄ)は、６０〜１５０ｍｍ、好ましくは７０〜１３０ｍｍ、最も好ましくは８０〜１２０ｍｍであることを特徴とする請求項１３ないし請求項１６のいずれか一項に記載の吸収用品。
【請求項１８】
前記中間葉部の前記端部の一つの幅(ｅ)によって除した、前記中間葉部の最大幅(ｄ)は、１１０ないし１８０％、好ましくは１１０ないし１５０％、最も好ましくは１１０ないし１３０％であることを特徴とする請求項１３ないし前記１７のいずれか一項に記載の吸収用品。
【請求項１９】
前記中間葉部の最大幅(ｄ)と、前記隣接した折り曲げ線(５)との間の距離(ｆ)は、３０ｍｍ未満であり、好ましくは１０ないし３０ｍｍの範囲内であり、最も好ましくは１５ないし２５ｍｍの範囲内であることを特徴とする請求項１３ないし請求項１８のいずれか一項に記載の吸収用品。
【請求項２０】
前記用品の最小幅は、前記中間葉部(３)の端部のいずれか一方において測定された幅であることを特徴とする請求項１３ないし請求項１９のいずれか一項に記載の吸収用品。
【請求項２１】
前記中間葉部の前記二つの端部における幅は、実質的に同一であることを特徴とする請求項１３ないし請求項２０のいずれか一項に記載の吸収用品。
【請求項２２】
前記中間葉部の前記端部における幅は、３０ないし１００ｍｍの範囲内、好ましくは４０ないし９０ｍｍの範囲内、最も好ましくは６０ないし８５ｍｍの範囲内であることを特徴とする請求項１３ないし請求項２１のいずれか一項に記載の吸収用品。
【請求項２３】
それぞれの前記三つの葉部(２，３，４)の最も広い部分の前記位置において、前記用品の前記長手方向側部に配置された三つの点は、直線に沿って配置されていることを特徴とする請求項１３ないし請求項２２のいずれか一項に記載の吸収用品。
【請求項２４】
前記三つの葉部(２，３，４)の最大幅は、実質的に同一であることを特徴とする請求項１３ないし請求項２４のいずれか一項に記載の吸収用品。
【請求項２５】
前記用品(１)の衣類に面する面には、前記側方部(７)において、粘着材が存在していないことを特徴とする請求項１ないし請求項２４のいずれか一項に記載の吸収用品。
【請求項２６】
前記吸収コア材は、上側吸収コア(８)と下側吸収コア(９)とを具備してなることを特徴とする請求項１ないし請求項２５のいずれか一項に記載の吸収用品。
【請求項２７】
前記上側吸収コア(８)および前記下側吸収コア(９)の一つは、前記用品の前記側方部(７)において測定したとき、前記上側吸収コア(８)および前記下側吸収コア(９)の他方よりも幅広であることを特徴とする請求項２６に記載の吸収用品。
【請求項２８】
前記折り曲げ線(５)は、前記側方部(７)が、実質的に、前記上側吸収コア(８)および前記下側吸収コア(９)の一つのみからなる吸収材を具備してなるように、最小幅の前記上側吸収コア(８)および前記下側吸収コア(９)の前記長手方向側部に沿って延在していることを特徴とする請求項６または請求項２７に記載の吸収用品。
【請求項２９】
前記上側吸収コア(８)および前記下側吸収コア(９)の一つは、前記用品(１)の前記長手方向において測定したとき、前記上側吸収コア(８)および前記下側吸収コア(９)の他方よりも長尺であることを特徴とする請求項２６ないし請求項２８のいずれか一項に記載の吸収用品。
【請求項３０】
前記側方部(７)において測定したとき、最小幅の前記コア(８，９)は、略砂時計形状であることを特徴とする請求項２６ないし請求項２９のいずれか一項に記載の吸収用品。
【請求項３１】
前記側方部(７)において測定したとき、最も幅の広い前記コア(８，９)の一つは、略円形もしくは略長円形であることを特徴とする請求項２６ないし請求項３０のいずれか一項に記載の吸収用品。
【請求項３２】
前記側方部(７)における前記用品の厚さは、前記下側吸収コア(９)および前記上側吸収コア(８)の一つのみの厚さを含み、かつ前記側方部(７)と相対する前記中央部(６)における前記用品(１)の厚さは、前記下側吸収コア(９)の厚さと前記上側吸収コア(８)の厚さとを加算した厚さを含んでいることを特徴とする請求項２８に記載の吸収用品。
【請求項３３】
特に失禁パッドである吸収用品であって、
前記吸収用品(１)は、ある長さとある幅方向の広がりとを有し、前記長さは前記幅より大きく、かつ前記吸収用品(１)は吸収コア材を具備してなり、
前記吸収コア材は、中央部(６)と一対の長手方向に延在する側方部(７)とを形成し、前記側方部(７)における前記用品(１)の厚さは、前記側方部と対向する位置における前記用品(１)の厚さの４０ないし８０％、好ましくは５０ないし７０％、最も好ましくは５５ないし６５％であることを特徴とする吸収用品。
【請求項３４】
特に失禁パッドである吸収用品であって、
前記吸収用品(１)は、ある長さとある幅方向の広がりとを有し、前記長さは前記幅より大きく、かつ前記吸収用品(１)は吸収コア材を具備してなり、
前記吸収コア材は、上側吸収コアと前記下側吸収コアとを具備してなり、前記上側吸収コア(８)および前記下側吸収コア(９)の一つは、前記用品の前記側方部(７)において測定したとき、前記上側吸収コア(８)および前記下側吸収コア(９)の他方よりも幅広であり、かつ、
折り曲げ線(５)は、前記側方部(７)が実質的に、前記吸収コア(８，９)の一つのみからなる吸収材を具備してなるように、前記上側吸収コア(８)および前記下側吸収コア(９)の最小幅の前記長手方向側部に沿って延在することを特徴とする吸収用品。 
【発明の詳細な説明】
【技術分野】
【０００１】
本発明は、ある長さとある幅方向の広がりとを有しており、この長さは幅よりも大きく、かつ吸収コア材を備えている吸収用品に関するものである。吸収用品は、生理用ナプキン、パンティライナー、失禁パッドなどであってもよい。本発明は、特に、失禁パッドに有用なものである。
【背景技術】
【０００２】
上記種類の吸収用品は、尿および血液などの体液を吸収するためのものである。そのため、用品は着用者の体に接して着用され、かつ着用者の下着内に配置される。着用者の快適さのため、および用品の最も有効な使用のために、用品が着用者の体に対して、十分に適応できることは、それゆえ重要なことである。
【０００３】
柔軟な用品は一般に、それが容易に圧縮可能になるため、着用者の体に対して適応するという利点を有している。しかしながら柔軟な用品には、圧縮後に、例えばそれは十分に着用者の腿の間の空間を満たせないため、それは結果的に用品の長手方向縁部において望ましくない漏出をもたらす恐れがあるという不利な点がある。相対的に柔軟な製品はさらに、圧縮が、結果的に用品がひと続きの折り曲げ線または折り目を有することをもたらすことになる傾向がある。
【０００４】
より硬い用品は、柔軟な製品より構造的に完全的な状態を保持できるが、より快適ではないと感じる不利な点を有する。また、より硬い製品は、一度それが圧縮された後、実質的に一つの線のみに沿って圧縮可能であり、より柔軟な製品と同様の漏出問題を免れないであろうＶ字形状の用品を生じる。使用時に、この種類の製品は一般に、使用中に、形状が使用者の腿の間で、逆Ｖ字に対応するように折り重なる。
【０００５】
失禁パッドの形態の公知の用品は、平行な長手方向縁部を有する、延在する形状に形成される。製品の中央部における長手方向縁部は、相手方向へ向かって、用品の長手方向の端部同士を引くように機能する弾性素材を備え、着用者の体に対して順応するためのものであるような長手方向カップ形状の用品を生じる。さらに、弾性素材を有している長手方向縁部は、少なくとも用品の中央部で、その横方向においてもまた、弓形状の用品を形成するように上方へ延在することになる。この特徴は、体液の漏出の危険を減少させるように作用する。
【０００６】
多くの使用者に対して十分に機能するにもかかわらず、上記用品の使用者の中には、体液を吸収するときに、弾性素材の領域が湿ったと感じるかもしれないと報告する者もいる。さらに、そこには製品の側方から漏出する危険も存在し得る。
【０００７】
特許文献１は、例えば生理用ナプキン、失禁パッド、パンティライナーなどの吸収用品を開示する。この用品は、上側吸収材と、上側吸収材の背面に積層された、より小さいサイズの下側吸収材とを有する吸収体を備える。溝は、上側吸収材の下側吸収材に対応する部分に形成される。従って、上側吸収材は、下側吸収材に配置されるその部分において、上方へ突出できる。従って製品は、その横方向において、下方へ向いた弓形状を形成してもよい。
【０００８】
それゆえ着用者の体に適応でき、かつ湿りかつ／または漏出の軽減を制限する吸収用品、特に失禁パッドが求められている。
【特許文献１】特開2002-238948号公報
【発明の開示】
【発明が解決しようとする課題】
【０００９】
本発明の目的は、着用者の体に十分に適応し、かつ漏出問題を軽減させる吸収用品を提供することである。さらに用品は好ましくは、失禁パッドに適していることが望ましい。
【課題を解決するための手段】
【００１０】
上記目的は、ある長さとある幅方向の広がりとを有しており、この長さは幅よりも大きく、かつ吸収用品は吸収コア材を備えている、特に失禁ガードである吸収用品によって、本発明に従って達成され、ここで側方部の曲げ剛性は、側方部(７)と対向する位置における中央部(６)の用品(１)の曲げ剛性の３ないし２０％、好ましくは４ないし１５％、最も好ましくは４ないし１０％である。
【００１１】
曲げ剛性は、本明細書において後述される方法によって測定される。
【００１２】
側方部と用品の中央部との間の剛性の上記関係が、中央部が漏出問題を軽減するため十分な構造的に完全な状態を保持するのに対して、側方部が使用者の体に対して所望の適応が可能なように、側方部が中央部より先に変形するという用品を生じることが明らかにされている。
【００１３】
有利なことを言えば、側方部における用品の曲げ剛性は、０.３５ないし１.１である。有利なことを言えば、側方部に対向する位置における中央部において用品の曲げ剛性は、６.５ないし１０.１である。測定は、明細書中に開示されている方法に基づいてなされる。
【００１４】
有利なことを言えば、側方部における用品の厚さは、側方部に対向する位置における中央部の厚さより小さい。従って、側方部は使用時に、用品の所望の形態が達成されるように、中央部より容易に折り曲げ可能となる。
【００１５】
この場合、側方部における用品の厚さが、側方部に対向する位置における中央部での用品の厚さの４０ないし８０％、好ましくは５０ないし７０％、最も好ましくは５５ないし６５％であることが適していることが明らかにされている。
【００１６】
好ましくは、吸収用品は、吸収コア材を中央部と一対の長手方向側方部に区分するために設けられる一対の折り曲げ線を備えてもよい。この折り曲げ線は、使用時に、それが製品の所望の変形に役立つ、用品の折り曲げの位置を調整できるという利点を有する。
【００１７】
折り曲げ線は、一般に、側方部を折り曲げることを容易にするために設けられる線である。有利なことに、折り曲げ線は、吸収材の圧潰によって、形成できる。
【００１８】
折り曲げ線は、中央部の吸収材から、側方部の吸収用品を完全に区分していてもよい。
【００１９】
代わりに、折り曲げ線は、中央部の吸収材から、側方部の吸収用品を部分的に区分していてもよい。
【００２０】
好ましくは、折り曲げ線は、用品が使用されているとき、折り曲げ線が、薄筋腱から始まり会陰部で終わる、使用者の股領域に沿って延在するようにおおむね配置されるように、ある長さに沿って配置され、かつ延在しており、それによって側方部は、中央部から使用者へ向かって、用品の横方向から見た場合、弓形状を形成するように延在できる。
【００２１】
従って、折り曲げ線の始まりおよび終わりの位置は、それぞれ使用者の薄筋腱および使用者の会陰部の位置に相当する。さらに折り曲げ線は、中央部における製品の横方向の広がりに必要のない作用をすることなく、薄筋腱と会陰部との間の股領域に沿って使用者の体に適応するように、折り曲げるための用品の側方部を動作可能にし、それは一対の側方部の前面および背面に延在してもよい。従って、着用者の体への適応は、それが最も要求されている場所である、用品の中央部におおむね設けられる。同時に、用品の前方領域および後方領域は、反対に中間領域の適応の影響を受けない。
【００２２】
有利なことを言えば、折り曲げ線は、使用者の体に装着するのに適した形状を提供するために、用品に沿って凹状に延在していてもよい。
【００２３】
好ましくは、折り曲げ線は、約６０から１７０ｍｍ、好ましくは８０から１４０ｍｍ、最も好ましくは９０から１３０ｍｍの長さを有している。
【００２４】
折り曲げ線は、有利なことを言えば、用品の全体の長さの約１／３に沿って、延在してもよい。
【００２５】
折り曲げ線は一般に、側方部を折り曲げることを容易にするために設けられた線である。有利なことに、折り曲げ線は、吸収材の圧潰によって形成できる。圧潰線は、例えば完全にもしくは部分的に吸収コアのみを通って、吸収コアおよび表面シート要素を通って、もしくは吸収コアと表面シート要素と背面シート要素とを通って延在する。
【００２６】
折り曲げ線は完全に、中央部の吸収材から、側方部の吸収材を、区分してもよい。
【００２７】
代わりに、折り曲げ線は部分的に、中央部の吸収材から、側方部の吸収材を、区分してもよい。
【００２８】
好ましい実施形態において、吸収材の外側長手方向縁部は三つの凸状の葉部を形成しており、一対の折り曲げ線は、吸収コア材を中央部と一対の長手方向側方部に区分するように、三つの葉部の中間の一つの長手方向の端部同士の間に凹状に延在しており、これによって用品の使用時に、折り曲げ線は一般に、薄筋腱から始まり会陰部で終わる、使用者の股領域に沿うように配置されるようになっており、それによって、側方部は、用品の横方向から見た場合、弓形状を形成するように、中央部から使用者へ向かって延在できる。
【００２９】
本発明の用品の三葉部の形状は、それぞれ、使用者の薄筋腱と使用者の会陰部における位置に相当する、第１の葉部と中間の葉部との間に形成されている(凹形状の)二つの圧痕によって、着用者の体に十分に適応される。さらに、凹形の折り曲げ線は、股領域の前方および後方に配置されている、第１の葉部および第３の葉部における製品の横方向の広がりに不必要に作用することなく、薄筋腱と会陰部との間の股領域に沿って、使用者の体に適応するように、用品の側方部を折り曲げ可能にする。従って、着用者の体への適応は、これが最も要求されている場所である、用品の中央部におおむね設けられる。同時に、用品の前方領域および後方領域は反対に、中間領域の適合の影響を受けない。
【００３０】
折り曲げ線とは、用品の横方向から見たとき、弓形状を形成するように、側方部が中央部から使用者へ向かって、延在可能となるようなものである。この用品の構成は、製品から漏出を減少させるために、最も有利であると考えられている。しかしながら、代わりに側方部が、使用者から離れて、中央部から延在してもよいことを除外されない。この構成において、使用者の体への適応は達成され、それはまた漏出問題を軽減することに役立つ。
【００３１】
用品の三葉部の形状は、付加的に、それが用品の製造のための出発材料の有効的な使用を提供するように適合できるという利点を有している。このような出発材料は一般に、一定の幅を備えた織物形状のものである。三葉部の形状を用いたことで、製造中の材料の浪費は、相対的に低く維持可能であり、それは用品の費用効果および環境保全性に役立つ。
【００３２】
着用者の腱に良好な着用感を実現するために、中間葉部の長手方向の端部同士の間の長さは、約６０から１７０ｍｍ、好ましくは８０から１４０ｍｍ、最も好ましくは９０から１３０ｍｍである。
【００３３】
有利なことを言えば、中間葉部は、用品の全体の長さの約１／３に沿って、延在してもよい。好ましくは、前方葉部および後方葉部はまたそのとき、個々の葉部が用品の全体の長さの約１／３に沿って延在するように、全体の長さの約１／３に沿って延在することになる。
【００３４】
中間葉部の最大幅は、６０ないし１５０ｍｍ、好ましくは７０ないし１３０ｍｍ、最も好ましくは８０ないし１２０ｍｍである。さらに中間葉部の端部の一つの幅によって除された、中間葉部の端部の一つにおける吸収コアの幅によって区分される中間葉部の最大幅は、有利なことを言えば、１１０ないし１８０％、好ましくは１１０ないし１５０％、最も好ましくは１１０ないし１３０％であってもよい。有利なことを言えば、中間葉部の最大幅と適応する折り曲げ線との間の距離は、３０ｍｍ未満であり、好ましくは１０から３０ｍｍの範囲内であり、最も好ましくは１５から２５ｍｍの範囲内である。
【００３５】
上述されたような手段および特性は、着用者の体に対して特に良好な調整を与えることが判明している。
【００３６】
好ましくは、用品の最小幅は、中間葉部の端部の一方において測定された幅である。従って、用品の最小幅は、折り曲げ線の出現しかつ／または始まるところの幅である。この構成は、例えば薄筋腱および会陰部における使用者の体に対する所望の空間を提供するために、有利である。本明細書中において、最小幅とは、用品の本質的な長さに沿った幅を意味する。製品の幅を、用品の幅が連続的に減少するところで、製品の端部において、ある程度より幅狭にすることも可能である。
【００３７】
中間葉部の端部における幅は、有利なことを言えば、３０から１００ｍｍの範囲内、好ましくは４０から９０ｍｍの範囲内、最も好ましくは６０から８５ｍｍの範囲内であってもよい。好ましくは、中間葉部の二つの端部の幅は、本質的に同一であってもよい。
【００３８】
有利なことを言えば、三つの葉部の最大幅は、実質的に同一である。この独自の構成は、着用者の体に対して良好な適応を与える。さらにそれは製造の観点から有利である。このため、用品製造のための出発材料は、一般にバンド形状であり、バンドの幅は、三つの幅である製品の最大幅に適合するように選択できる。従って、非常に少量の材料しか製品の製造中に浪費されない。
【００３９】
吸収用品は多くの場合、使用者の下着に装着可能なように、その衣類に面する面に接着材を備える。有利なことを言えば、用品の衣類に面する面は、側方部において、粘着材が存在しなくてもよい。従って、側方部の折り曲げは、下着の形状または弾力性によって限定されない。
【００４０】
好ましくは、吸収コア材は、上側吸収コアと下側吸収コアとを備えてもよい。ここで使用されている「上側」とは、使用時に、着用者に接して配置されるためのものである製品の方向を意味し、反対に、ここで使用されている「下側」とは、その衣類に面する面に接する製品の方向を意味する。
【００４１】
好ましくは、吸収コア材は、上側吸収コアと下側吸収コアとを備えてもよい。ここで使用されている「上側」とは、使用時に、着用者に接して配置されるためのものである製品の方向を意味し、反対に、ここで使用されている「下側」とは、その衣類に面する面に接する製品の方向を意味する。
【００４２】
有利なことを言えば、上側吸収コアおよび下側吸収コアの一つは、用品の中間葉部で測定したとき、他方より幅広であってよい。この構成によって、側方部は、少なくとも、最も幅広であるコアのみからなる吸収材を含む、ある領域を備えることとなる。これは使用時に、用品の側方部の折り曲げにとって有利であると考えられる。
【００４３】
一実施形態において、下側吸収コアは、用品の中間葉部で測定したとき、上側吸収コアより広くてもよい。この構成において、側方部は、下側吸収コアのみからなる吸収材を含む少なくとも一つの領域を備えることとなる。これは使用時に、用品の側方部の上向きの折り曲げにとって有利であると考えられている。
【００４４】
好ましくは、上側吸収コアと下側吸収コアの一つは、用品の中間葉部において測定したとき、他方より幅広であってもよく、側方部が実質的にコアの最大幅のみからなる吸収材を備えているように、折り曲げ線はコアの最小幅に沿って延在していてもよい。したがって、側方部の調整された折り曲げは、容易になる。
【００４５】
用品の中間葉部において測定したとき、下側吸収コアが上側吸収コアより幅広である場合、折り曲げ線は、好ましくは、側方部が実質的に第２の吸収コアのみからなる吸収材を備えるように、上側吸収コアの長手方向側部に沿って延在してもよい。
【００４６】
側方部が折り曲げ線に沿って折り曲げられており、反対に、折り曲げ線の間の用品の中央部が相対的に平らに保持されることが、一般に望まれていることは明らかであろう。これは、中央部の構成が、身体に対しての調整に相対的に影響されないことが保たれるという上記作用に寄与し、それは側方部によってなされる。したがって、用品の安定性およびしっかりとした位置決定は、保証可能である。
【００４７】
有利なことを言えば、下側吸収コアおよび上側吸収コアの一つは、用品の長手方向で測定したとき、下側吸収コアより長尺であってもよい。この構成において、最大量の吸収コア材は、製品の中央の近くに設けられる。さらに製品の長手方向の端部は、相対的に薄く、それは使用時に、製品の快適性および美観に寄与する。
【００４８】
好ましくは、吸収コアの一つは、一般に砂時計形状(いわゆるドッグボーン骨形状(dog-bone-shaped))であってもよい。これは着用者の脚の間に装着することに十分に適しているため、この形状は特に、吸収材の中央部にも適している。従って、第１の凸状の葉部と、凹状の折り曲げ線と、および第３の凸状の葉部とは、ともに砂時計形状を形成可能である。
【００４９】
有利なことを言えば、吸収コアの他方は一般に、円形もしくは長円形である。この形状は、製品の凸状中間葉部が、下側吸収コアの円形もしくは長円形の縁部によって形成されることを可能にする。
【００５０】
上側吸収コアおよび下側吸収コアを使用するとき、側方部の厚さは、上側吸収コアおよび下側吸収コアの最も幅広のものの厚さを含んでもよく、かつ側方部と対向する位置における中央部の厚さは、上側吸収コアの厚さと下側吸収コアの厚さとの和を含んでいてもよい。
【００５１】
曲げ剛性を測定するために使用される方法については、以下で説明する。
【００５２】
以下、本発明について、実施例を用い、図面を参照して、詳細に説明する。
【発明を実施するための最良の形態】
【００５３】
以下、本発明について、図面に示された実施形態を参照して、より詳しく説明する。
【００５４】
「吸収用品」という語は、尿および月経液などの身体の滲出液を吸収し、かつ含有するために、着用者の皮膚に接して配置される製品を意味する。本発明は主に、使い捨て可能な吸収用品を意味し、それは使用後に洗浄されるか、または別の方法で吸収用品として復元もしくは再利用されるためのものでない用品を意味する。
【００５５】
図１は、失禁パッド１の形態である吸収用品を示す。その最も一般的な形態において、吸収用品は、吸収コアと、吸収コアを封入するカバーとを備えている。カバーは、吸収コアの着用者に面する面にある液体透過性表面シートと、吸収コアの衣類に面する面にある液体バリア背面シートとを備える。
【００５６】
種々の層シートの一般的な構成の詳細は、図４と関連して、以下でより詳細に説明する。
【００５７】
図１の用品１は、ある長さとある幅方向の広がりとを有しており、ここで全体の長さ(Ｌ)は最大幅(Ｗ)より大きい。用品１は、従来品と同様に、吸収コア材を備えている。
【００５８】
図１に示されるように、吸収材の外側長手方向縁部は、三つの凸状葉部２，３，４(第１の葉部２、中間の葉部３、第３の葉部４)を形成する。一対の折り曲げ線５は、吸収コア材を中央部６と一対の長手方向側方部７とに区分するように、三つの葉部２，３，４の中間の一つ３の長手方向の端部同士の間に、凹状に延在する。
【００５９】
用品１が使用されているとき、折り曲げ線５は一般に、薄筋腱から始まり会陰部で終わる、使用者の股領域に沿って延在するように配置され、それによって、用品１の横方向から見た場合、弓形状を形成するように、側方部７は中央部６から使用者へ向かって、延在してもよい。
【００６０】
図示された実施形態において、三つの葉部２，３，４の長さａ，ｂ，ｃはおおむね等しく、かつ製品の全体の長さＬの約１／３である。この構成を備えたことで、製品は対称的であり、そしてそのため、第１の葉部２および第３の葉部４の前後どちらでも同じように使用できる。
【００６１】
中間葉部３の長手方向の端部同士の間の長さｂについて、図示された実施形態において、これは約１１ｃｍである一方で、製品の全体の長さは約３３ｃｍである。上記のとおり、これらの長さは、適当な間隔の範囲内で変更できる。製品の全体の長さは例えば、１５ないし４５ｃｍで変更可能である。
【００６２】
葉部の端部とは、吸収材の長手方向縁部の各凸部の端部を意味することは明らかである。従って、中間葉部の長さｂは、三つの凸状葉部の間に形成された凹部の中央から測定される。葉部同士の間の凹部は、使用者の体、例えば使用者の薄筋腱および会陰部に適応するように作用するので、凸部の間の距離、したがって中間葉部の長さは、好ましくはこの解剖学的な距離に適応することが望ましい。
【００６３】
図示された実施形態において、中間葉部(３)の最大幅(ｄ)は、約１０ｃｍである。さらに、この場合、すべての三つの葉部の最大幅(ｄ)は、同一である。中間葉部の端部の一つにおいて測定した場合の吸収用品の幅(ｅ)(この場合には、製品の最小幅である)は、約８ｃｍである。
【００６４】
(例示された寸法から、本発明の側方部７は、一般に「ウィング」または「フラップ」と呼ばれ、かつ下着に固定することを確実にするために従来品に設けられていた構成とは異なるものと考えられる。ウィングもしくはフラップは、着用者の下着の周囲に折り曲げられ、かつ着用者の下着に対して固定されるようなおおむねの寸法に作られる。)
【００６５】
図１に示されるように、二つの折り曲げ線５は、中間葉部３の端部同士の間の用品に沿って、凹状に延在して形成される。折り曲げ線は、中央部６に関連するコアの側方部７の折り曲げを容易にするためのものである。
【００６６】
図示された実施形態において、折り曲げ線５は、吸収材の圧潰によって形成される。この場合、圧潰線５は、圧潰線を形成する圧痕および溝を設けるために、吸収材の深部へ延在するが、中央部６の吸収材から側方部７の吸収材を完全に区分するほど深くはない(図２参照)。このため、この場合の圧潰線は、中央部６の吸収材から側方部７の吸収材を単に部分的に区分する。この実施形態において、吸収材によって吸収された体液は、従って、側方部７から中央部６へ向かって、もしくは反対に、吸収材へ移動する。
【００６７】
しかしながら、他の実施形態も考えられ、この実施形態では中央部６から側方部７の吸収材を完全に区分するように、圧潰線は吸収材の全体を通って延在できる。
【００６８】
さらに、圧潰線が吸収材の深さと等しい深さまで延在しているかどうかに関係なく、圧潰線は、図示された実施形態のように連続であるか、または非連続(断続的な線または破線)であってもよい。
【００６９】
圧潰線の異なる代替案の選択には、折り曲げるための側方部に所望された傾向と同様に、吸収材の液体の拡散が考慮されてもよい。
【００７０】
製品中での液体の拡散は、流れに対する一時的なバリアのように、圧潰線の使用によって、遅らせてもよい。
【００７１】
圧潰線は、吸収コアのみから構成され、もしくは他の製品の構成要素(表面シートかつ／または背面シートなど)へと延在していてもよい。
【００７２】
圧潰線を折り曲げ線として有用にするために、圧潰は、好ましくは、吸収コア材へと延在していてもよい。有利なことを言えば、圧潰線は、コアの深さの少なくても２０％、好ましくは少なくとも５０％、最も好ましくは７５％に相当する深さまで延在していてもよい。
【００７３】
本明細書中において使用可能な圧潰線の一例は、欧州特許出願公開0 781 537第号明細書、米国特許第5,795,344号明細書、欧州特許出願公開1 332 742第号明細書、および国際公開第00/32146号パンフレットに見出される。
【００７４】
図示されている実施形態の吸収コア材は、上側吸収コア８と下側吸収コア９とを備える。下側吸収コアは、上側吸収コアより用品の衣類に面する面に接近していることとなる。
【００７５】
図１には、上側吸収コア８(実線)と下側吸収コア９(破線)の形状が示されている。この場合、上側吸収コア８は、砂時計形状であるのに対して、下側吸収コア９は略円形である。
【００７６】
下側吸収コア９は、従って、用品の中間葉部で測定した場合、上側吸収コア８よりも幅広である。特に、下側吸収コアの円形の最も幅広の部分は、上側吸収コア８のくびれに整列して配置されている。従って、用品の中間凸状葉部３は、下側吸収コア９によって形成されることとなり、かつ第１の凸状葉部２および第２の凸状葉部４は、上側吸収コア８の砂時計形状の二つの幅広の部分によって形成される。
【００７７】
折り曲げ線５は、この場合、砂時計のくびれの形状に従うように、上側吸収コア８の長手方向側部に沿って延在する。従って、側方部７は、第２の吸収コア８のみから形成される吸収材を備えることとなる。
【００７８】
さらに、上側吸収コア８は、用品１の長手方向で測定した場合、下側吸収コア９よりも長くなっている。したがって、用品の中央部６の中央領域は、この領域が体液と接する通常の領域であるため、最大量の吸収材を含むことに適している。用品の前方領域および後方領域は、中央領域よりある程度薄くなっており、それは必要のない容積をもたない快適な製品に貢献する。
【００７９】
上側吸収コア８より幅広であり、かつ実質的に側方部７を形成する下側吸収コア９は、使用時に、製品が、側方部７が着用者へ向かって上方に延在するように形成されるという、さらなる傾向を有することとなる、付加的な利点を有している。
【００８０】
図示された実施形態において、側方部７は、下側コア９のみの吸収材を含むのに対して、中間葉部３における中央部６は、上側コア８と下側コア９とからなる吸収材を含むため、側方部７における用品の厚さは、中間葉部における中央部６の厚さよりも小さい。
【００８１】
中間葉部３における中央部６の厚さより小さい側方部７の厚さは、中央部６よりもむしろ、折り曲げかつ変形するための側方部７の傾向に寄与する。厚さの所望された差異は、実施例の順に、一つのみの吸収コアを使用すること、もしくは二つ以上のコアを使用することで達成可能である。
【００８２】
例示された実施形態において、中央部６の厚さは約１１ｍｍであり、ウィングの厚さは約７ｍｍであるが、これらの寸法は、もちろん、製品の異なるタイプもしくはサイズのために変更できる。
【００８３】
使用時に、用品の寸法を調整するために、側方部７が中央部６よりもむしろ、折り曲げられかつ変形することになるように、中間葉部３における中央部６と関連する側方部７の曲げ剛性が重要であることが判明している。
【００８４】
特に、側方部７の、および中央部６における用品の横方向で測定した場合の、側方部７において主に変形が生じる曲げ剛性は、製品を提供するために、関連していることが判明している。
【００８５】
ここで使用されている「曲げ剛性」は、本明細書中で後ほど説明される曲げ剛性試験によって得られた測定値を意味する。
【００８６】
有利なことを言えば、側方部７における用品１の曲げ剛性は、上記のとおり、用品(１)の中間葉部(３)における中央部(６)の曲げ剛性の３から２０％の間である。曲げ剛性は、本明細書で説明される方法に基づいて測定される。図示された実施形態において、最大の測定荷重が使用される場合、この曲げ剛性は約８.７％である。
【００８７】
図３および図４は、本発明に基づく第２実施形態の概要を示す。第２実施形態は、上側コア８が下側コア９より幅広であることにおいて、図１および図２の実施形態とは異なる。さらに、上側コア８は下側コア９より短い。図示された実施形態において、上側コア８は略円形状であり、かつ下側コア９は、略砂時計形状である。この実施形態は、側方部７が、製品の上部から始まることによって、美観に関する利点を有する。折り曲げ線５は、圧潰線である場合において、下側コア９の周辺に沿って延在し、上側コア８に形成される。
【００８８】
コアの異なる相対的配置を除いて、図３および図４に示された第２実施形態は、図１および図２に関連して記述された第１実施形態と同様であり、それは第１実施形態に関する上記特徴および利点が、第２実施形態にもおおむね当てはまる理由である。
【００８９】
図５および図６において、図１および図２の用品の種々の構成要素がより詳しく示されている(同様の特徴は、図３および図４に示された実施形態に付加できる)。吸収用品は、上側吸収コア８および下側吸収コア９からなる吸収コアと、吸収コアを封入するカバーとを備える。このカバーは、吸収コアの着用者に面する面にある液体透過性表面シート１０３と、吸収コアの衣類に面する面にある液体バリア背面シート１０４とを備える。
【００９０】
表面シート１０３は、吸収用品の内側カバーを形成し、かつ使用時に、着用者の皮膚と直に接して配置される。表面シートは、不織素材、例えばスパンボンド、メルトブローン、カーデッド、ハイドロエンタングル、ウェットレイドなどを備えてもよい。好適な不織素材は、木材パルプもしくは面繊維のような天然繊維、ポリエステル、ポリエチレン、ポリプロピレン、ビスコースなどのような人工繊維、もしくは天然繊維と人工繊維との混合物から構成可能である。さらなる内側液体透過性カバー材料の例として、多孔性フォーム、開孔プラスティックフィルム、開孔フィルムと不織布の間のラミネートなどがある。内側液体透過性カバー材料に適した材料は、皮膚に対して軟質でありかつ刺激のないもの、および例えば尿や月経液である体液が直ちに透過されるものが望ましい。内側液体透過性カバーは、さらに、吸収用品の種々の部分において、異なっていてもよい。
【００９１】
背面シート１０４は、薄いプラスティックフィルム、例えばポリエチレンまたはポリプロピレンフィルム、液体不透過性材料で被覆された不織素材、液体透過に抵抗する疎水性不織布、もしくはプラスティックフィルムおよび不織素材を備えたラミネートであってもよい。背面シート１０４は、吸収コアから蒸気を逃すことを可能にするために、通気性を有していてもよい一方で、依然として、液体がそれを通り抜けて通過することを防止できる。通気性背面シート材料の一例として、多孔性ポリマーフィルム、スパンボンドおよびメルトブローン層からなる不織ラミネート、多孔性ポリマーフィルムおよび不織布からなるラミネートがある。
【００９２】
吸収コア材は、従来の種類のものでもよい。よくみられる吸収材の一例は、セルロースフラッフパルプ、ティッシュ層、高度な吸収性のポリマー(いわゆる超吸収体)、吸収フォーム材料、吸収性不織素材などがある。吸収コアの超吸収ポリマーとセルロースフラッフパルプを組み合わせることは、一般的である。超吸収ポリマーは、食塩の０.９重量パーセントからなる水溶液の中で、少なくともその２０倍の重量を吸収する能力のある、水膨潤性、不水溶性の有機または無機材料である。超吸収材料などの使用に適している有機材料は、合成水素材料などの合成繊維と同様に、ポリサッカライド、ポリペプチドなどの天然材料を含んでいてもよい。合成水素材料などは、例えば、ポリアクリル酸のアルカリ金属塩、ポリアクリルアミド、ポリビニルアルコール、ポリアクリラート、ポリアクリルアミド、ポリビニルピリジン、などがある。他の好ましいポリマーは、ヒドロキシアクリロニトリルグラフトスターチ、アクリル酸グラフトスターチ、イソブチレンマレイン無水物コポリマーなどを含む。水素ポリマーは、好ましくは、実質的に不水溶性状態にするために、軽度に交差結合される。好ましい超吸収材料は、さらに、表面で交差結合され、その結果、超吸収の粒子、繊維、フレーク、球体などの外側表面もしくは外殻は、内側部分より高度の交差結合密度を有する。超吸収材料は、粒子、繊維、フレーク、球体などを含む吸収性複合材料において使用に適した、どのような形態でもよい。
【００９３】
高度の吸収能力は、大量の超吸収材料の使用によって定められる。セルロース繊維などの親水性繊維からなるマトリックスと、超吸収材料とを備える吸収コアに関して、超吸収材料の比率は、好ましくは、重量の１０ないし９０％、より好ましくは重量の３０ないし７０％である。
【００９４】
吸収コアは、水分受容能力、液体拡散能力および貯蔵能力に関する異なる特性を備えた異なる材料の層を備えてもよい。薄手の吸収体は、例えば乳児用オムツおよび失禁ガードに共通であり、多くの場合、セルロースフラッフパルプと超吸収ポリマーとの圧縮混合物または層状の構成を備えている。吸収コアのサイズおよび吸収能力は、小児用もしくは成人失禁者用など、異なる使用者に適するように変更できる。
【００９５】
吸収コアとして有用な吸収性材料の他の例として、エアレイドティッシュ、不織布および気乾によるティッシュなどのロール材料のラミネート、および超吸収材料があり、ここで超吸収材料の内側層および糸は、ロール材料の外側層の間に存在する。異なる層は、例えば接着剤によって、もしくは熱接着によって、互いに付着される。
【００９６】
従来製品の例において、吸収コアは、上側層８および下側層９の二つの層を備えている。他の実施形態において、一つのみの層または三つの層、もしくはそれ以上の層が存在してもよい。さらに、それぞれの「上側層」８および「下側層」９は、一つ以上の材料層を備えてもよい。
【００９７】
液体移送層１０５は、表面シート１０３と吸収コア材の間に配置されてもよい。移送層は、例えば繊維状の詰め物、カーデッド繊維状ウェブ、トウ材料、もしくは、高度の瞬間的液体受容能力を有している厚手かつ弾力性のある他の種類の繊維状材料の形態をとる、多孔性で、弾性のある、相対的に薄手の材料層であり、かつそれは、下にある吸収体によって液体が吸収される前に、一時的に液体を貯蔵できる。液体移送層はさらに、多孔性フォーム材の形態である。それはさらに、二つ以上の材料層から構成できる。移送層の基本重量は、２０ないし１００ｇ/ｍ2、好ましくは３０ないし８０ｇ/ｍ2である。
【００９８】
吸収用品は、着用者の下着に用品を固定することを可能にするために、その衣類に面する面に粘着材を備えてもよい。この場合、用品１の衣類に面する面は、側方部７が下着によってその折り曲げが制限されないように、側方部７に粘着材が存在しないことが好ましい。
【００９９】
〔曲げ剛性試験〕
この方法は、特殊な装置において、折り曲げられるときの、用品の曲げ剛性または抵抗を測定するためのものである。本明細書中において、この方法は、用品が、下着に配置されるときに、身体の形状への調整に適した用品を形成するために、製品の側方部および中央部の特性を記述するため使用されている。この測定法は、これまで、乾燥形成リールコアを備えた生理用ナプキン、高密度のコアを備えたパンティライナー、およびコアを持たないパンティライナーのような、薄手の製品に使用されてきた。
【０１００】
図７は、曲げ剛性試験の実施に使用された装置の概略側面図である。図８は、図７と直交する方向から見た、装置の他の概略側面図である。
【０１０１】
この装置は、測定するための用品１を支持する基部装置２０１と、基部装置２０１の上にあるとき、用品１の上へ降下するための上側装置２０２とを備える。
【０１０２】
基部装置２０１は、張力試験機に対する取り付けのための保持具を含む基部手段２０７を備える。基部手段２０７は、二つの支持手段２０３ａと２０３ｂとを備える。各支持手段２０３ａ，２０３ｂは、二つの略垂直棒材と、二つの略垂直棒材の間に水平に延在する一つの水平棒材２０４とを備える。支持手段２０３ａ，２０３ｂは、ある程度相手方向へ向かって傾斜するような適所において、基部手段２０７に接続されている。従って、基部手段２０７における支持手段２０３ａ，２０３ｂの中心の間の距離は、約８７ｍｍであり、かつ水平棒材２０４ａ，２０４ｂにおける支持手段２０３ａ，２０３ｂの中心の距離は、４０ｍｍほどである。水平棒材２０４ａ，２０４ｂは、水平にかつ平行に延在している。
【０１０３】
水平棒材２０４ａ，２０４ｂは、テフロン(登録商標)で被覆され、かつ１０ｍｍの直径(テフロン(登録商標)を含む)を備えた円形断面を有している。水平棒材の表面は平滑である。
【０１０４】
上側装置２０２は、張力試験機に対する取り付けのための保持具２０６と、金属線材構造体２０５とを含む。金属線材構造体２０５は、基部装置へ向かって降下するときに、製品１と接触する水平部を備える。水平部は、１４０ｍｍの長さを有している。その二つの端部において、水平部は、５０ｍｍの長さを有し、垂直に延在する線材部に接続されている。その後、線材部は、同様に５０ｍｍの長さを有し、かつ傾斜線材部の上側端部が９０ｍｍの距離によって区分されるように互いへ向かって傾斜している、傾斜線材部と連続している。傾斜線材部は、５０ｍｍの長さを有する第２の水平線材部によって、それぞれに続いて設けられている。最終的に、第２の水平線材部は、装置部材２０６に接続されている。装置部材２０６における第２の水平線材部は、従って９０ｍｍである。
【０１０５】
金属線材は、３ｍｍの直径を有しており、かつ硬質でありかつ柔軟性のない材料から形成される。
【０１０６】
上側装置２０２は、線材構造体２０５が水平支持材２０４ａ，２０４ｂと垂直になるように、基部装置２０１に関連付けて配置される。
【０１０７】
試験に関して、装置２０１，２０２は、張力試験機に取り付けられる。上側装置は、基部装置の基部２０７の上にあるとき、水平金属線材と試料の最上部側との間の距離が、約２ｍｍであるように調節される。この距離であれば、試料は、基部に容易に配置できる。試料は、上側装置が試料の中間葉部に影響を及ぼすことになるように配置されることが望ましい。
【０１０８】
試験に関して、製品を水平支持材の間に押し下げるために、上側装置は試料へ向かって、速度２００ｍｍ/minで降下する。試験は、製品全体が支持材の間に押し下げられたとき、終了する。
【０１０９】
試験するための製品が剥離紙で覆われた粘着材を備えている場合、剥離紙は除去され、かつ粘着材は、試験前に接着剤の粘着性が消失するように、タルクが振りかけられる。
【０１１０】
試料は、試験前に、少なくとも４時間にわたって、２３±２℃、かつ５０±５％の相対湿度に調整されるべきである。
【０１１１】
各試験に関して、得られた最大力が記録される。
【０１１２】
試験時に得られた力は、テフロン(登録商標)で被覆された基部装置に配置された試料が、上側装置の金属線材を下方へ動かすことによって、その間へ折り曲げられるときに、抵抗として規定される。
使用した設備：
張力試験機：例えばLloyd LRX
ロードセル：２０Ｎ
速度：２００ｍｍ/min
【０１１３】
〔厚さ測定〕
本発明に基づく四つの製品の厚さは、従来方法を使用し、０.５ｋＰａの圧縮圧力を使用し、測定された。
【０１１４】
〔結果〕
本発明に基づく四つの製品の側方部および中央部の曲げ剛性は、上記方法を使用して測定された。
【０１１５】
試験前に、側方部は各用品の中央部から切断された。
【０１１６】
その後、側方部は、試験装置の水平棒材の上に、その長手方向縁部に乗るように配置され、かつ線材構造体は、線材構造体が側方部の他の長手方向縁部に直交するように、側方部へ向かって降下させられた。
【０１１７】
中央部の曲げ剛性は、中央部を試験装置の水平棒材の上に平らに配置し、衣類に面する面を下にして測定された。中央部は、線材構造体が中央部の長さ方向に沿って延在するように配置されるが、これは中央部を二つの長手方向半体に「区分」する。
【０１１８】
この特別の方式で、上記曲げ剛性試験を用いることは、中央部の剛性に関連する側方部の剛性の要求条件を示すことに有用であると考えられており、これは、製品が、使用者の腿の間で圧縮されることを免れないときに、側方部かつ／または中央部にしわが寄るよりも、むしろ側方部の折り曲げを実現するためである。側方部および中央部で得られた値は、直ちに比較できないのは明らかである。比較可能な値を得るため、実際には、側方部を長手方向に測定することは、より適しているかもしれない。しかしながら、このような測定は面倒であるため、それは上記測定によって、側方部がその長手方向縁部に配置され、横方向に圧縮されるところに置き換えられた。それにもかかわらず、この選択された方法は、製品の変形特性を評価することに、適した値を提供すると考えられている。
【０１１９】
表１に最大荷重の試験結果を表す。
【０１２０】
【表１】
2009519097.tif 000003
【０１２１】
中央部の平均最大荷重は、８.１Ｎであったが、それは、側方部の横方向における平均最大荷重である、０.６２Ｎと比較できる。従ってこの場合、側方部における用品の最大荷重は、ここで測定したように、平均すると、中央部における用品の最大荷重の約７.９％である。他の用品に比べてわずかに異なる値を示す、減じられた(discounting)用品３に関して、この値はむしろ一定して約６.２％であることが判明した。従って、５.５ないし７％の値は、特に有用であると考えられる。
【０１２２】
最大荷重の測定は、製品のばらつき、および試験方法の誤差に敏感であるかもしれない。例えば、製品の衣類に面する面の粘着材に対するタルクの不十分な供給は、製品の衣類に面する面の折り目がそうするかもしれないように、誤った値を導き出すかもしれない。
【０１２３】
上記のものより幅広の製品の試験に関して、より長い水平線材部と同様に、より長い水平棒材が使用可能である。
【０１２４】
四つの対応している製品は、側方部および中央部の厚さを測定するために使用される。この場合、各用品の側方部の両方の厚さが測定される。
【０１２５】
中央部の厚さは、それ自身の中央部の中央において、すなわち完全な用品の中間葉部の中央において、測定される。側方部の厚さは、各側部の中央において測定される。厚さ測定は、曲げ剛性試験のために製品を一片に切り分ける前に、実施されることが望ましい。
【０１２６】
表２に厚さ測定の結果を示す。
【０１２７】
【表２】
2009519097.tif 000004
【０１２８】
中央部の厚さの平均は、１１.４５ｍｍであることが判明し、それは側方部の厚さの平均、６.７５ｍｍと比較可能である。従って、この例では、横方向で測定した場合、側方部における用品の厚さは、中央部における用品の厚さの約５９％である。
【０１２９】
従って(最高荷重で表現した場合)、測定された用品の側方部の厚さは、中央部の厚さの約５９％に相当し、かつ側方部の曲げ剛性は、中央部の曲げ剛性の約７.９％である。
【０１３０】
本発明の種々の形態および変形例は、明らかに実施可能である。吸収コアの形状は、二つのコアが使用されるとき、個々の形状であってもよいように、上側コアおよび下側コアは、変化できる。側方部は、二つのコアからなる構成材を含んでもよく、かつこの二つのコアの長さは変更可能である。圧潰線は、一つのコアのみを通って、または二つのコアを通って、表面材料および上側コアに制限されてもよい。さらに、付加的なコアが使用されてもよい。異なる層の厚さおよび配置が可能なように、製品の異なる層の材料は、変化できる。
【０１３１】
さらに、たとえ上記実施例が三葉部形状製品であっても、本発明の思想が、異なる形状の製品に適用可能であることは明らかである。「中間」葉部が存在しない実施形態において、中間葉部における中央部の厚さもしくは曲げ剛性に対して本明細書中でなされた言及は、側方部と対向する位置における中央部の厚さもしくは曲げ剛性と等しいと考えられる。
【０１３２】
さらに、本発明に関連して説明された特徴のいくつかの機能は(ただし、組み合わせによって提供されたときに高度の有利な効果を提供する)、個々の特徴に関連して説明された利点を達成するために、別々に使用できる。
【図面の簡単な説明】
【０１３３】
【図１】本発明の一実施形態に基づく吸収用品の概略平面図である。
【図２】用品の吸収コア部のみを示す、図１におけるII−II線に沿った、断面図である。
【図３】本発明の第２実施形態に基づく吸収用品の概略平面図である。
【図４】用品の吸収コア部のみを示す、図３におけるIV−IV線に沿った断面図である。
【図５】表面シートなどに関連するさらなる細部を含む、図１における用品の平面図である。
【図６】図５におけるVI−VI線に沿った断面図である。
【図７】曲げ剛性試験に使用される試験装置の概略図である。
【図８】曲げ剛性試験に使用される試験装置の概略図である。
【符号の説明】
【０１３４】
１  吸収用品
２  第１の葉部
３  中間葉部
４  第３の葉部
５  折り曲げ線
６  中央部
７  側方部
８  上側吸収コア
９  下側吸収コア
１０３  表面シート
１０４  背面シート
１０５  液体移送層
２０１  基部装置
２０２  上側装置
２０３ａ，２０３ｂ  支持部材
２０４ａ，２０４ｂ  水平棒材
２０５  線材構造体
２０６  保持具
２０７  基部手段
【図１】
2009519097.tif 000005
【図２】
2009519097.tif 000006
【図３】
2009519097.tif 000007
【図４】
2009519097.tif 000008
【図５】
2009519097.tif 000009
【図６】
2009519097.tif 000010
【図７】
2009519097.tif 000011
【図８】
2009519097.tif 000012
【手続補正書】
【提出日】平成19年7月14日(2007.7.14)
【手続補正１】
【補正対象書類名】特許請求の範囲
【補正対象項目名】全文
【補正方法】変更
【補正の内容】
【特許請求の範囲】
【請求項１】
特に失禁パッドである吸収用品であって、
前記吸収用品(１)は、ある長さとある幅方向の広がりとを有し、前記長さは前記幅より大きく、かつ前記吸収用品(１)は吸収コア物質を具備してなり、前記吸収コア物質は、中央部(６)と一対の長手方向に延在する側方部(７)とを形成し、一対の折り曲げ線は、前記吸収コア物質を、前記中央部（６）と前記一対の長手方向側方部（７）とに区分するように、設けられており、かつ前記側方部(７)における前記用品(１)の曲げ剛性は、前記側方部(７)と対向する位置における前記中央部(６)の前記用品(１)の曲げ剛性の３ないし２０％の間、好ましくは４ないし１５％の間、最も好ましくは４ないし１０％の間であることを特徴とする吸収用品。
【請求項２】
前記側方部(７)における前記用品(１)の曲げ剛性は、０.３５ないし１.１の間であることを特徴とする請求項１に記載の吸収用品。
【請求項３】
前記側方部(７)と対向する位置における前記中央部(６)での前記用品(１)の曲げ剛性は、６.５ないし１０.１の間であることを特徴とする請求項１または請求項２に記載の吸収用品。
【請求項４】
前記側方部(７)における前記用品の厚さは、前記側方部(７)と対向する位置における前記中央部(６)の厚さより小さいことを特徴とする請求項１ないし請求項３のいずれか一項に記載の吸収用品。
【請求項５】
前記側方部(７)における前記用品(１)の厚さは、前記側方部と対向する位置における前記用品(１)の厚さの４０ないし８０％の間、好ましくは５０ないし７０％の間、最も好ましくは５５ないし６５％の間であることを特徴とする請求項４に記載の吸収用品。
【請求項６】
前記折り曲げ線(５)は、前記吸収材の圧潰によって、形成されていることを特徴とする請求項１ないし請求項５のいずれか一項に記載の吸収用品。
【請求項７】
前記折り曲げ線(５)は、完全に、前記中央部(６)の前記吸収材から、前記側方部(７)の前記吸収材を区分することを特徴とする請求項１ないし請求項６のいずれか一項に記載の吸収用品。
【請求項８】
前記折り曲げ線(５)は、部分的に、前記中央部(５)の前記吸収材から、前記側方部(７)の前記吸収材を区分することを特徴とする請求項１ないし請求項６のいずれか一項に記載の吸収用品。
【請求項９】
前記折り曲げ線(５)は、前記用品が使用されているとき、前記折り曲げ線(５)がおおむね、薄筋腱から始まり会陰部で終わる、使用者の股領域に沿って延在するように配置されるように、ある長さに沿って配置され、かつ延在しており、前記側方部(７)は、前記用品(１)の横方向から見た場合、弓形状を形成するように、前記中央部(６)から使用者へ向かって、延在可能となっていることを特徴とする請求項１ないし請求項８のいずれか一項に記載の吸収用品。
【請求項１０】
前記折り曲げ線は、約６０から１７０ｍｍ、好ましくは８０から１４０ｍｍ、最も好ましくは９０から１３０ｍｍの長さを有していることを特徴とする請求項１ないし請求項９のいずれか一項に記載の吸収用品。
【請求項１１】
前記折り曲げ線(５)は、前記用品の全体の長さ(Ｌ)の約１／３に沿って延在していることを特徴とする請求項１ないし請求項１０のいずれか一項に記載の吸収用品。
【請求項１２】
前記吸収材の前記外側長手方向縁部は、三つの凸状の葉部(２，３，４)を形成し、
前記吸収コア物質を前記中央部(６)と前記一対の長手方向側方部(７)とに区分するように、
前記一対の折り曲げ線(５)は、前記三つの葉部(２，３，４)の前記中間の一つ(３)の前記長手方向の端部同士の間に凹状に延在しており、
これによって、前記用品(１)が使用されているときに、前記折り曲げ線(５)がおおむね、薄筋腱から始まり会陰部で終わる、使用者の股領域に沿って延在するように配置されているようになっており、前記側方部(７)は、前記用品(１)の横方向から見た場合、弓形状を形成するように、前記中央部(６)から使用者の方へ向かって、延在可能となっていることを特徴とする請求項１ないし請求項１１のいずれか一項に記載の吸収用品。
【請求項１３】
前記中間葉部(３)の前記長手方向の端部同士の間の長さ(ｂ)は、約６０から２７０ｍｍ、好ましくは８０から１４０ｍｍ、最も好ましくは９０から１３０ｍｍであることを特徴とする請求項１２に記載の吸収用品。
【請求項１４】
前記中間葉部(３)は、前記用品の全体の長さ(Ｌ)の約１／３に沿って延在していることを特徴とする請求項１２または請求項１３に記載の吸収用品。
【請求項１５】
それぞれの葉部(２，３，４)は、前記用品の全体の長さ(Ｌ)の約１／３に沿って延在することを特徴とする請求項１４に記載の吸収用品。
【請求項１６】
前記中間葉部(３)の最大幅(ｄ)は、６０〜１５０ｍｍ、好ましくは７０〜１３０ｍｍ、最も好ましくは８０〜１２０ｍｍであることを特徴とする請求項１２ないし請求項１５のいずれか一項に記載の吸収用品。
【請求項１７】
前記中間葉部の前記端部の一つの幅(ｅ)によって除した、前記中間葉部の最大幅(ｄ)は、１１０ないし１８０％の間、好ましくは１１０ないし１５０％の間、最も好ましくは１１０ないし１３０％の間であることを特徴とする請求項１２ないし請求項１６のいずれか一項に記載の吸収用品。
【請求項１８】
前記中間葉部の最大幅(ｄ)と、前記隣接した折り曲げ線(５)との間の距離(ｆ)は、３０ｍｍより小さく、好ましくは１０ないし３０ｍｍの範囲内、最も好ましくは１５ないし２５ｍｍの範囲内であることを特徴とする請求項１２ないし請求項１７のいずれか一項に記載の吸収用品。
【請求項１９】
前記用品の最小幅は、前記中間葉部(３)の端部のいずれか一方において測定された幅であることを特徴とする請求項１２ないし請求項１８のいずれか一項に記載の吸収用品。
【請求項２０】
前記中間葉部の前記二つの端部における幅は、実質的に同一であることを特徴とする請求項１２ないし請求項１９のいずれか一項に記載の吸収用品。
【請求項２１】
前記中間葉部の前記端部における幅は、３０ないし１００ｍｍの範囲内、好ましくは４０ないし９０ｍｍの範囲内、最も好ましくは６０ないし８５ｍｍの範囲内であることを特徴とする請求項１２ないし請求項２０のいずれか一項に記載の吸収用品。
【請求項２２】
それぞれの前記三つの葉部(２，３，４)の最も広い部分の前記位置において、前記用品の前記長手方向側部に配置された三つの点は、直線に沿って配置されていることを特徴とする請求項１２ないし請求項２１のいずれか一項に記載の吸収用品。
【請求項２３】
前記三つの葉部(２，３，４)の最大幅は、実質的に同一であることを特徴とする請求項１２ないし請求項２２のいずれか一項に記載の吸収用品。
【請求項２４】
前記用品(１)の衣類に面する面には、前記側方部(７)において、粘着材が存在していないことを特徴とする請求項１ないし請求項２３のいずれか一項に記載の吸収用品。
【請求項２５】
前記吸収コア物質は、上側吸収コア(８)と下側吸収コア(９)とを具備してなることを特徴とする請求項１ないし請求項２４のいずれか一項に記載の吸収用品。
【請求項２６】
前記上側吸収コア(８)および前記下側吸収コア(９)の一つは、前記用品の前記側方部(７)において測定したとき、前記上側吸収コア(８)および前記下側吸収コア(９)の他方よりも幅広であることを特徴とする請求項２５に記載の吸収用品。
【請求項２７】
前記折り曲げ線(５)は、前記側方部(７)が、実質的に、前記上側吸収コア(８)および前記下側吸収コア(９)の一つのみからなる吸収材を具備してなるように、最小幅の前記上側吸収コア(８)および前記下側吸収コア(９)の前記長手方向側部に沿って延在していることを特徴とする請求項２６に記載の吸収用品。
【請求項２８】
前記上側吸収コア(８)および前記下側吸収コア(９)の一つは、前記用品(１)の前記長手方向において測定したとき、前記上側吸収コア(８)および前記下側吸収コア(９)の他方よりも長尺であることを特徴とする請求項２５ないし請求項２７のいずれか一項に記載の吸収用品。
【請求項２９】
前記側方部(７)において測定したとき、最小幅の前記コア(８，９)は、略砂時計形状であることを特徴とする請求項２５ないし請求項２８のいずれか一項に記載の吸収用品。
【請求項３０】
前記側方部(７)において測定したとき、最も幅の広い前記コア(８，９)の一つは、略円形もしくは略長円形であることを特徴とする請求項２５ないし請求項２９のいずれか一項に記載の吸収用品。
【請求項３１】
前記側方部(７)における前記用品の厚さは、前記下側吸収コア(９)および前記上側吸収コア(８)の一つのみの厚さを含み、かつ前記側方部(７)と相対する前記中央部(６)における前記用品(１)の厚さは、前記下側吸収コア(９)の厚さと前記上側吸収コア(８)の厚さとを加算した厚さを含んでいることを特徴とする請求項２７に記載の吸収用品。
【請求項３２】
特に失禁パッドである吸収用品であって、
前記吸収用品(１)は、ある長さとある幅方向の広がりとを有し、前記長さは前記幅より大きく、かつ前記吸収用品(１)は吸収コア物質を具備してなり、
前記吸収コア物質は、中央部(６)と一対の長手方向に延在する側方部(７)とを形成し、前記側方部(７)における前記用品(１)の厚さは、前記側方部と対向する位置における前記用品(１)の厚さの４０ないし８０％の間、好ましくは５０ないし７０％の間、最も好ましくは５５ないし６５％の間であることを特徴とする吸収用品。
【請求項３３】
特に失禁パッドである吸収用品であって、
前記吸収用品(１)は、ある長さとある幅方向の広がりとを有し、前記長さは前記幅より大きく、かつ前記吸収用品(１)は吸収コア物質を具備してなり、
前記吸収コア物質は、上側吸収コアと前記下側吸収コアとを具備してなり、前記上側吸収コア(８)および前記下側吸収コア(９)の一つは、前記用品の前記側方部(７)において測定したとき、前記上側吸収コア(８)および前記下側吸収コア(９)の他方よりも幅広であり、かつ、
折り曲げ線(５)は、前記側方部(７)が実質的に、前記吸収コア(８，９)の一つのみからなる吸収材を具備してなるように、前記上側吸収コア(８)および前記下側吸収コア(９)の最小幅の前記長手方向側部に沿って延在することを特徴とする吸収用品。
【国際調査報告】
2009519097.tif 000013
2009519097.tif 000014
2009519097.tif 000015
2009519097.tif 000016
2009519097.tif 000017
2009519097.tif 000018